(57)【要約】【課題】誤操作によって正時合わせされる事を防止出来る時刻表示装置の提供。【解決手段】一回目のスイッチ４の押し操作にて、正時合わせモードが選択されて、表示装置を全桁点滅されて、正時合わせモードを表示し、（ステップＳ１〜Ｓ３）この状態で更にステップＳ５にて二回目のスイッチ４の押し操作がなされる事により、ステップＳ８またはステップＳ９にて正時合わせ動作が行われる。【選択図】  図２
2004219215.tif 000002
【特許請求の範囲】
【請求項１】
正時合わせを行う操作スイッチと、
前記操作スイッチのＯＮ／ＯＦＦの状態を検出して、正時合わせモード、時刻調整モード、および通常表示モードのいずれかが選択され、各モードに応じた制御を行う制御手段と、
前記制御手段の出力に応じて時刻表示する表示手段とを備えた時刻表示装置であって、
前記制御手段は、前記操作スイッチが所定時間内において少なくとも２度操作される事を検出した時、前記正時合わせモードを選択するように構成される事を特徴とする時刻表示装置。
【請求項２】
前記制御手段は、前記操作スイッチが１度操作され、その後所定時間内に２度目の前記操作スイッチの操作がなされなかった場合は、前記通常表示モードを選択するように構成される事を特徴とする請求項１に記載の時刻表示装置。
【請求項３】
前記操作スイッチは、時刻調整の操作を兼ねる事を特徴とする請求項１または２に記載の時刻表示装置。
【請求項４】
前記制御手段は、前記表示手段が表示する時刻の時桁、分桁のいずれかを点滅表示する事で、前記正時合わせモードが選択された事を報知する事を特徴とする請求項１〜３のいずれかに記載の時刻表示装置。
【発明の詳細な説明】
【０００１】
【発明の属する技術分野】
本発明は、正時合わせ機能を備えた時刻表示装置に関する。
【０００２】
【従来の技術】
従来、時刻表示装置を正時合わせする場合は、その時刻表示装置が備える正時合わせ専用も若しくは時刻調整／正時合わせ兼用の操作スイッチを１度操作する事で実施してきた。
【０００３】
【発明が解決しようとする課題】
そのため、誤って操作スイッチが１度操作されてしまった場合でも正時合わせが実施されてしまう事から、もしユーザーが誤って操作スイッチを１度操作してしまい、その事に気づかなかった場合は、この正時合わせされた時刻が、他の時刻表示装置が表示する現在時刻に比して狂っているように見え、不良品であると勘違いされてしまうと言う不具合があった。
【０００４】
本発明は、上記の点を鑑みてなされたものである。すなわち誤操作によって表示時刻が正時合わせされてしまう事を防止する事が出来る時刻表示装置を提供する事を目的とする。
【０００５】
【課題を解決するための手段】
請求項１に記載の発明によれば、正時合わせを行う操作スイッチと、前記操作スイッチのＯＮ／ＯＦＦの状態を検出して、正時合わせモード、時刻調整モード、および通常表示モードのいずれかが選択され、各モードに応じた制御を行う制御手段と、
前記制御手段の出力に応じて時刻表示する表示手段とを備えた時刻表示装置であって、前記制御手段は、前記操作スイッチが所定時間内において少なくとも２度操作される事を検出した時、前記正時合わせモードを選択するように構成される事を特徴とする。
【０００６】
この発明により、ユーザーが操作スイッチを２度操作しなければ正時合わせされないので、誤って操作スイッチが１度操作されてしまった場合でも正時合わせがすぐに実施される事がなくなり、誤操作による正時合わせの実施を防止する事が可能になる。
【０００７】
請求項２に記載の発明は、前記制御手段は、前記操作スイッチが１度操作され、その後所定時間内に２度目の前記操作スイッチの操作がなされなかった場合は、前記通常表示モードを選択するように構成される事を特徴とする。
【０００８】
この発明により、もし誤って操作スイッチが１度操作されてしまった場合でも、所定時間内に２度目の操作がなされない限り、表示は元の通常表示モードに戻るので、誤って正時合わせが実施されてしまう可能性を低くする事が出来る。
【０００９】
請求項３に記載の発明は、前記操作スイッチは、時刻調整の操作を兼ねる事を特徴とする。
【００１０】
この発明により、正時合わせモードと時刻調整モードとを１つの操作スイッチのＯＮ／ＯＦＦ状態の時間の長短によって選択する制御を行う時刻表示装置においても誤操作によって正時合わせが実施されてしまう可能性を低くする事が出来る。
【００１１】
請求項４に記載の発明は、前記制御手段は、前記表示手段が表示する時刻の時桁、分桁のいずれかを点滅表示する事で、前記正時合わせモードが選択された事を報知する事を特徴とする。
【００１２】
この発明により、制御手段は、表示手段に対し時間を表示する各桁（時、分、秒）のいずれかまたは全ての桁を点滅表示させる事で、ユーザーに対し、現時点でのモードが正時合わせモードである事を報知する事が出来るので、他の報知手段を備える必要がなくコストを低くする事が出来る。
【００１３】
【発明の実施の形態】
（第一実施形態）
以下、本発明の第一の実施形態について図を用いて説明する。図１は本発明の第一実施形態に係る時刻表示装置１００の構成の概略を示す概略構成図である。この時刻表示装置１００は、例えば５Ｖ等の所定電圧ＶＤＤを入力するＩ／Ｆ（インターフェース）回路１と、このＩ／Ｆ回路１に対しライン５を介して接続され、正時合わせと時刻修正とを兼ねる１つのスイッチ４と、Ｉ／Ｆ回路１の出力電圧を入力する制御回路６と、制御回路６からの出力を表示する表示装置７からなる。
【００１４】
Ｉ／Ｆ回路１は、電流制限用の抵抗２と入力保護用の抵抗３とを有し、スイッチ４のＯＮ／ＯＦＦ操作に応じて所定電圧ＶＤＤ若しくはアース電圧を制御回路６に出力する。
【００１５】
スイッチ４は、スイッチ蓋４ａを備えた接点型の押しボタンスイッチである。通常は、スイッチ蓋４ａは接点を開く方向へばね等により所定の弾性力が掛かっており、ＯＦＦしている。
【００１６】
ユーザーがスイッチ蓋４ａを押す操作をする事により、接点が接触し導通する。これにより、Ｉ／Ｆ回路１は、アース電圧を接点３ａに受け、所定電圧ＶＤＤに代えてアース電圧を抵抗３を介して制御回路６に出力する。このスイッチ４は請求項で示す操作スイッチに相当する。
【００１７】
制御回路６は、時刻を計時するとともに後述する表示装置７に計時した時刻の表示信号を出力するマイクロコンピュータからなる電子回路である。図示しないＣＰＵ、Ｉ／Ｏ回路、タイミング回路などからなり、Ｉ／Ｆ回路５から入力されたスイッチ４のＯＮ／ＯＦＦ信号を示す電圧を基に、スイッチ４のＯＮ時間、ＯＦＦ時間の長短を計測し、この計測したスイッチ４のＯＮ時間とＯＦＦ時間の長短からユーザーの操作の目的を判定し、通常表示モード、正時合わせモード、そして時刻調整モードのいずれかのモードを選択する制御を行う。この制御回路６は請求項で示す制御手段に相当する。
【００１８】
表示装置７は、制御回路６から出力された時刻を表示する。独立した表示装置でも良いが、他の装置に組み込まれている表示装置の表示領域の一部であっても良い。この表示装置７は請求項で示す表示手段に相当する。
【００１９】
次に、上述した構成の時刻表示装置１００の正時合わせに関する作動を、図２に示すフローチャートを用いて説明する。
【００２０】
図１において、スタート時の通常表示モードとは、表示装置７が制御回路６から出力された時刻情報を表示している状態の事を指す。このモードの時にステップＳ１として、外部より例えばライン５上に侵入した電気的なノイズよって、スイッチ４が押（ＯＮ）されたのと同様の低電圧状態が発生した場合、次のステップに進む事を防止する。ノイズによって発生する擬似的なＯＮ（つまり、押された状態と同等の状態）の時間が、所定の時間Ｔ１以下であった場合、通常表示モードのままとなるよう、ノイズ除去のステップを備える。押（ＯＮ）された状態が、実際にユーザーによって押さないと維持できない継続した長さ（ＯＮ時間）、つまり上述した所定の時間Ｔ１以上であった場合は、ステップＳ２に進む。ここで言う所定の時間Ｔ１とは上述したように電気的なノイズ除去の為のものであり、例えば約４０〜７０ｍｓ程度の時間である。
【００２１】
ステップＳ２にて、制御回路６はスタート時からスイッチ４が押されている時間が、短時間操作を示す所定の時間Ｔ２以下であったか否かを判定する。これは制御回路６がスイッチ４のＯＮ／ＯＦＦ時間の長短によって、正時合わせモードに移行するか、時刻調整モードへ移行するかを選択する為に必要な判定情報である。実際に押されたＯＮ時間が所定の時間Ｔ２以上であった場合は時刻修正モードが選択され、実際に押されたＯＮ時間が所定の時間Ｔ２以下であった場合は、正時合わせモードが選択される。このステップ２で言う所定の時間Ｔ２は例えば約０．７〜０．９ｓ程度である。
【００２２】
ステップＳ１にて電気的なノイズを除去し、ステップＳ２でユーザーによって実際にスイッチ４が押されたＯＮ時間が所定の時間Ｔ２以下であった場合は、ステップＳ３に進む。ステップＳ３では、制御回路６から表示装置７に、時、分の各桁が同時に点滅する表示信号が出力される。これにより制御回路６が正時合わせモードを選択した事をユーザーに報知している。
【００２３】
ステップＳ４にて、制御回路６はスイッチ４が再度押されているＯＮ状態か否かを判定する。押（ＯＮ）されている状態であったならば、ステップＳ５に進む。ステップＳ５では、ステップＳ１の時と同様に、押（ＯＮ）されている状態が電気的なノイズによって発生しているのか否かを判定する為に、スイッチ４が押されているＯＮ時間が所定の時間Ｔ１（例えば約４０〜７０ｍｓ）以上であるか否かを判定する。所定の時間Ｔ１以上であったならば、ユーザーによるスイッチ４を押す（ＯＮ）操作が行われているものと判定し、ステップＳ７〜Ｓ９で実際の正時合わせ動作を行う。
【００２４】
またステップＳ４にて、スイッチ４が押されていないＯＦＦ状態だと判定された場合は、ステップＳ６に進み、スイッチ４が押されていないＯＦＦ状態の時間の累計が全桁の点滅が開始されてから、すなわちステップＳ３に進んでから所定の時間Ｔ３、例えば１５秒以上経過したか否かを判定する。所定の時間Ｔ３以上経過しているならば、制御回路６は正時合わせモードを終了し、通常表示モードを選択する。
【００２５】
スイッチ４の押されていない時間の累計が所定の時間Ｔ３以下であった場合は、ステップＳ４に戻る。この所定の時間Ｔ３はユーザーが正時合わせ若しくは時刻調整する意志があるか否かを判断する為の時間であり、特に車両運転中であれば操作のしにくさから時間が少し余分に掛かる事を考慮して長めの時間としてある。
【００２６】
ステップＳ５にて、スイッチ４が再度押されているＯＮ時間が所定の時間Ｔ１以上であった場合は、ステップＳ７に進む。ステップＳ７では、分桁が０〜２９までだった場合はステップＳ８に進み、分桁の表示を「００」に修正され、時の桁は現在の時刻を維持された表示となる。また分桁が３０〜５９までであった場合は、ステップＳ９に進み、分桁は「００」に表示を修正され、時桁は現在の時刻より一時間進んだ時刻に表示を修正される。そしてステップＳ８またはステップＳ９が終了すると、正時合わせ動作は終了し、通常表示モードに戻る。
【００２７】
このように、ステップＳ１にて第一回目のユーザーによるスイッチ４の押し（ＯＮ）動作があり、その後にステップＳ４にて第二回目のユーザーによるスイッチ４の押し（ＯＮ）動作があった場合にのみ、ステップＳ７以降の正時合わせ動作が行われるので、誤操作によって表示時刻が正時合わせされてしまう事を防止する事が出来る。
（第二実施形態）
次に、図３を用いて本発明の第二実施形態について説明する。
【００２８】
ステップＳ１１にて、スイッチ４が押されたＯＮ時間が所定の時間Ｔ２以上であった場合は、ステップＳ１２に進む。この所定の時間Ｔ２は第一実施形態で上述した通り、約４０〜７０ｍｓ程度の時間である。
【００２９】
所定の時間Ｔ２以上、スイッチ４が押されていた場合は、ステップＳ１２にて、時桁、分桁のいずれかが点滅表示される。これは制御回路６がユーザーに対し、正時合わせモードか、時刻修正モードかを選択する事が出来る状態になった事を報知する表示形式の一例である。点滅表示するのはいずれの桁でも良いが、全桁点滅表示は正時合わせモード時を表すので、他の組み合わせによる点滅表示にて示す事が望ましい。
【００３０】
続くステップＳ１３、ステップＳ１４にてこの点滅表示期間中、所定時間Ｔ４以内にスタート時から押されているスイッチ４が離されたか否かを検知する。ステップ１３にて離れている（ＯＦＦ）事が検知された場合は、時刻修正モードに進む。
【００３１】
ステップＳ１４にて、スタート時からスイッチ４が継続して押されているＯＮ時間が所定時間Ｔ４を超えた場合は、正時合わせモードであるステップＳ１５に進む。この場合の所定時間Ｔ４は長時間操作を示す約４〜６ｓ程度である。
【００３２】
ステップＳ１５〜ステップＳ２１までは第一実施形態にて説明した正時合わせ動作と重複するので説明を省略するが、ステップＳ１７にて第二回目のユーザーによるスイッチ４の押し動作によるＯＮ状態を検知する。そしてＯＮ状態が所定の時間Ｔ１以上であった場合のみステップＳ１８〜Ｓ２１までの正時合わせ動作を行う。
【００３３】
このように、ステップＳ１１にて第一回目のユーザーによるスイッチ４の押し動作があり、その後にステップＳ１７にて第二回目のユーザーによるスイッチ４の押し動作があった場合にのみ、正時合わせ動作が行われるので、誤操作によって表示時刻が正時合わせされてしまう事を防止する事が出来る。
【００３４】
なお、上述の実施形態によれば、スイッチ４として正時合わせ／時刻調整兼用の１つのスイッチを用いた例を示したが、正時合わせ専用のスイッチを設け、このスイッチを上記と同様にして１回目のＯＮ操作で正時合わせモードに入り、２回目のＯＮ操作がなされた事を検知して、正時合わせを行うようにしても良い。
【図面の簡単な説明】
【図１】本発明の時刻表示装置１００の概略構成を示す構成図である。
【図２】本発明の第一実施形態にかかる時刻表示装置１００のフローチャートである。
【図３】本発明の第二実施形態にかかる時刻表示装置１００のフローチャートである。
【符号の説明】
１      Ｉ／Ｆ回路
４      スイッチ
６      制御回路
７      表示装置
１００  時刻表示装置
【図１】
2004219215.tif 000003
【図２】
2004219215.tif 000004
【図３】
2004219215.tif 000005